【手続補正書】
【提出日】平成18年10月12日(2006.10.12)
【手続補正１】
【補正対象書類名】明細書
【補正対象項目名】特許請求の範囲
【補正方法】変更
【補正の内容】
【特許請求の範囲】
【請求項１】  それぞれの第一及び第二のショルダーにより流出口端部で、それぞれ束ねられた第一及び第二バレルを備え、
前記それぞれのショルダーは、同一平面上にあり隣接するほぼ平面状の表面と前記ショルダーから延び該ショルダーの間に対称に配置されたほぼ円筒状のネックと、を有し、前記ネックは、前記第一及び第二バレルと流体的に連通している前記第一及び第二流出口を含み、
さらに、前記ネックから外側に延びた向かい合う第一及び第二移動止めと、前記ネックに対し対称に配置されそれぞれ前記第一及び第二ショルダーに固定された向かい合う第一及び第二ロッキングリブと、を有する第一接合組立体を備え、
それぞれのリブは、前記ショルダー表面にほぼ平行で該表面から同じの距離だけ離れた複数のほぼ平面状のロッキングフェースを有し、
さらに、前記ネックに密着状態で受承される、円筒側面により形成されたほぼ円筒状のボアを有する流入口端部と、前記ボアに対し対称に配置された向かい合うほぼ平面状の第一及び第二ロッキングタブを有する第二接合組立体とを有する混合チップを備え、
前記円筒側面は、向かい合う前記第一及び第二移動止め用凹部分と、それぞれの近位の端部で前記凹部分に接触する第一及び第二ランプと、を有し、前記接合組立体は、それぞれの移動止めが前記それぞれのランプの遠位の端部に接触するように前記ネックが相対的な位置で前記ボアに挿入されたときに結合し、その結果、係合させた配置を形成し、前記接合組立体は、前記ランプの横方向に移動し前記ランプの近位の端部に到達されたそれぞれの移動止めが凹部分の中に受承されかつ前記それぞれのタブが前記複数のリブロッキング面とショルダーとの間に密着状態で受承されるまで前記混合チップが第一方向に回転されたときに連結し、前記接合組立体は、前記ネックとボアとが前記係合させた配置になるまで前記混合チップが前記方向と反対方向に回転されるときに分離可能であり、
さらに、２つの粘性材料が前記第一及び第二バレルから供給されると前記２つの粘性材料を混合するように前記混合チップの中に配置される５区画の静止混合要素を有する、
混合剤として２つの粘性材料を供給するためのシリンジ。
【請求項２】  中心線に沿って、連続的に取り付けられる２つの対称のバレルと一体成形された胴体部分を備え、
それぞれのバレルは、近位の端部と遠位の端部を有し、それぞれのバレルの前記遠位の端部は、ほぼ平面のショルダーと、混合器を把持するための取り付けられたロッキングリブで構成されていて、それぞれのバレルの前記近位の端部は、把持を改善するための把持部材と、プランジャーを受承するための流入口を含み、それぞれのロッキングリブは、前記混合器を取り付けるための胴体壁部材を有していて、
更に、前記中心線に沿って対称に配置され、前記ショルダー上の前記ロッキングリブ間に等しく間隔を空けた、流出口ネックを備えていて、
前記流出口ネックは、前記二つのバレルと流体で連通し、前記混合器のボアにぴったりとフィットするように構成されていて、前記混合器は、接合組立体を有し、前記接合組立体は、さらに、一対の混合器壁部材と一対のロッキングタブを有し、前記一対の混合器壁部材は、その結果前記混合器を取り付けるために、前記ロッキングリブ上の対応する一対の胴体壁部材に近接するように構成されていて、前記ロッキングタブは、前記混合器壁部材に隣接し、前記ロッキングリブの下側で摩擦により係合するように構成され、
前記混合器は、さらに前記ボアと摩擦で係合する、一続きの密接に結合された複数のスクリューを有している、
第一及び第二の内容物を混合し、管理するためのシリンジ。
【請求項３】  それぞれの第一及び第二のショルダーにより流出口端部でそれぞれ束ねられた第一及び第二バレルを備え、
前記それぞれのショルダーは、ほぼ平面状の表面と、前記ショルダーから延び、該ショルダーの間に対称に配置されたほぼ円筒状のネックとを有し、前記ネックは、前記第一及び第二バレルと流体的に連結している前記第一及び第二流出口を含み、
さらに、前記ネックに対し対称に配置され前記それぞれの第一及び第二ショルダーに固定された向かい合う第一及び第二ロッキングリブを有する第一接合組立体と、
さらに、前記ネックに密着状態で受承される円筒側面により形成されたほぼ円筒状のボアを有する流入口端部と、前記ボアに対し対称に配置された向かい合う第一及び第二ロッキングタブを有する第二接合組立体とを有する混合チップを備え、
前記接合組立体は前記ネックが前記ボアの中に挿入されるときに結合し、かつ前記それぞれのタブがロッキングリブと前記第一及び第二ショルダーの一つとの間で密着状態で受承されるまで前記混合チップが第一の方向に回転したときに連結され、前記接合組立体は、前記混合チップが前記方向と反対方向に回転されたときに分離され、さらに、前記混合チップは、前記２つの粘性材料が前記第一及び第二バレルから供給されると前記２つの粘性材料を混合するように前記混合チップの内部に配置される静止混合要素を有し、
さらに、並列で同じ長さの第一及び第二プランジャーを有する単一構造の二連プランジャーを備え、前記プランジャーが前記バレルの中に押し込まれると前記バレルから前記粘性材料を供給するように前記プランジャーが前記バレルの中に滑動可能な状態で装着される、
混合剤として２つの粘性材料を供給するためのシリンジ。
【請求項４】  それぞれの第一及び第二のショルダーにより流出口端部でそれぞれ束ねられた第一及び第二バレルを備え、
前記それぞれのショルダーは、同一平面上にあり隣接するほぼ平面状の表面と、前記ショルダーから延び該ショルダーの間に対称に配置されたほぼ円筒状のネックと、を有し、前記ネックはそれぞれ前記第一及び第二バレルと流体的に連結している前記第一及び第二流出口を含み、
さらに、前記ネックから外側に延びた向かい合う第一及び第二移動止めと、前記ネックに対し対称に配置されそれぞれ前記第一及び第二ショルダーに固定された向かい合う第一及び第二ロッキングリブとを有する第一接合組立体を備え、
さらに、前記ネックに密着状態で受承される円筒側面により形成されたほぼ円筒状のボアを有する流入口端部と、前記ボアに対し対称に配置された、向かい合うほぼ平面状の第一及び第二ロッキングタブを有する第二接合組立体とを有する混合チップを備え、
前記円筒側面は、向かい合う前記第一及び第二の移動止め用凹部分と、それぞれの近位の端部で前記凹部分に接触する第一及び第二ランプとを有し、前記接合組立体は、それぞれの移動止めがランプの遠位の端部に接触するように前記ネックが相対的な位置でボアに挿入されたときに結合し、その結果、係合させた配置を形成し、前記ランプの横方向に移動し前記ランプの近位の端部に到達されるそれぞれの移動止めが凹部分の中に受承され、かつ前記それぞれのタブが前記リブとショルダーとの間に受承されるまで前記混合チップが第一方向に回転されたときに連結し、前記接合組立体は、前記混合チップが前記方向と反対方向に回転されるときに分離可能であり、
さらに、２つの粘性材料が前記第一及び第二バレルから供給されると前記２つの粘性材料を混合するように前記混合チップの中に配置される静止混合要素を有する、混合剤として２つの粘性材料を供給するためのシリンジ。
【請求項５】  それぞれの第一及び第二のショルダーにより流出口端部でそれぞれ束ねられた第一及び第二バレルを備え、前記それぞれのショルダーはほぼ平面状の表面と、前記ショルダーから延び該ショルダーの間に対称に配置されたほぼ円筒状のネックとを有し、前記ネックは、前記第一及び第二バレルと流体的に連結している前記第一及び第二流出口を含み、
さらに、前記ネックに対し対称に配置されそれぞれ前記第一及び第二ショルダーに固定された向かい合う第一及び第二ロッキングリブを有する第一接合組立体を備え、
前記それぞれのリブは、少なくとも一面のロッキングフェースを有し、
さらに、前記ネックに密着状態で受承される円筒側面により形成されたほぼ円筒状のボアを有する流入口端部と、前記ボアに対し対称に配置された向かい合う第一及び第二ロッキングタブを有する第二接合組立体と、を有する混合チップを備え、
前記接合組立体は、前記ネックがボアに挿入されたときに結合し、前記接合組立体は、前記それぞれのタブがリブロッキングフェースとショルダーとの間に受承されるまで前記混合チップが第一方向に回転されたときに連結し、前記接合組立体は、前記混合チップが前記方向と反対方向に回転されるときに分離可能であり、
さらに、２つの粘性材料が前記第一及び第二バレルから供給されると前記２つの粘性材料を混合するように前記混合チップの内部に配置される静止混合要素を備え、
前記静止混合要素は、複数の一巻きのスクリューを備え、前記それぞれのスクリューは近傍のスクリューと反対方向に巻かれ、
前記スクリューは、前記粘性材料が供給されるように前記粘性材料を順番に小さい方のスクリューに流入させるために先端に向かって寸法が減少する、
混合剤として２つの粘性材料を供給するためのシリンジ。
【請求項６】  シリンジ胴体と混合チップとを備え、
前記シリンジ胴体は、同じ長さを有する並列の第一及び第二バレルと、同じ直径のほぼ円筒状のボアとを有する双胴型組立体とを備え、前記それぞれのバレルは、それぞれ第一及び第二ショルダーにより流出口端部で束ねられ、さらに、前記ショルダーから延び前記ショルダーの間に対称に配置されたネックとを備え、前記ネックは、第一及び第二バレルを使用してそれぞれ前記第一及び第二バレルと流体的に連結している前記第一及び第二流出口を含み、
さらに、前記シリンジ胴体は、同じ長さの並列の第一及び第二プランジャーを有する単一構造の二連プランジャーを備え、前記それぞれのプランジャーは前記プランジャーの遠位の端部において前記プランジャーと一体に形成されるシールを有し、前記それぞれのシールは、ほぼ円筒状のボアと適合するように可撓性があり、かつ前記円筒状のボアに関しプランジャーを封止するように十分に薄い壁の厚さのフレアーを備え、
さらに、前記シリンジ胴体は、前記ネックに対し対称に配置され、それぞれ前記第一及び第二ショルダーに固定された向かい合う第一及び第二ロッキングリブを有する第一接合組立体を備え、前記それぞれのリブは、前記ショルダー表面から予め決定された同じ距離だけ離れた少なくとも一面のほぼ平面状のロッキングフェースを有し、
前記混合チップは、流入口端部と放出端部と前記両端部を通したボアとを有し、前記ボアは、前記流入口端部においては、ほぼ円筒状の部分を有し、かつ円錐状に先細りする部分の中で前記放出端部方向に延びており、前記円筒状の部分は、前記ネックを密着状態で受承される円筒側面により形成され、さらに、前記先細りする部分の内部で、密着状態で受承され固定された静止混合要素を有し、
前記混合チップは、前記流入口端部において、前記第一接合組立体の予め決定された距離よりも短い予め決定された同じ厚さの向かい合う前記第一及び第二ロッキングタブを有する第二接合組立体を有し、前記第一及び第二接合組立体は、前記ネックが前記円筒状のボア部分の中に挿入されたときに結合され、前記接合組立体は、前記それぞれのタブが、前記複数のリブロッキングフェースとショルダーの間に密着状態で受承されるまで前記混合チップが第一の方向に回転されるときに連結し、前記接合組立体は、前記混合チップが前記方向と反対方向に回転されたときに、分離可能である、
混合剤として２つの粘性材料を供給するためのシリンジ。
【請求項７】  それぞれの第一及び第二のショルダーにより流出口端部で、それぞれ束ねられた第一及び第二バレルを備え、前記それぞれのショルダーはほぼ平面状の表面と、前記ショルダーから延び該ショルダーの間に対称に配置されたほぼ円筒状のネックとを有し、前記ネックは、前記第一及び第二バレルと流体的に連結している前記第一及び第二流出口を含み、
さらに、前記ネックに対し対称に配置されそれぞれ前記第一及び第二ショルダーに固定された向かい合う第一及び第二ロッキングリブを有する第一接合組立体を備え、
さらに、前記ネックに密着状態で受承される円筒側面により形成されたほぼ円筒状のボアを有する流入口端部と、前記ボアに対し対称に配置された、向かい合うほぼ平面状の第一及び第二ロッキングタブを有する第二接合組立体とを有する混合チップを備え、前記接合組立体は、前記ボアの中に挿入されたときに結合し、かつ前記それぞれのタブが前記リブとショルダーとの間に受承されるまで前記混合チップが第一方向に回転されたときに連結し、前記接合組立体は、前記混合チップが前記方向と反対方向に回転されるときに分離され、
さらに、前記ネックを受承するように寸法が定められたほぼ円筒状のボアと、前記ボアに対して対称に配置された、向かい合うほぼ平面状の第一及び第二ロッキングタブを有する第二接合組立体と、を有するロッキング密封キャップを備え、前記接合組立体は、前記それぞれのタブが前記リブロッキングフェースとショルダーとの間に密着状態で受承されるまで前記ネックが前記ボアの中に挿入されたときに結合し、かつ前記それぞれのロッキング密封キャップが第一の方向に回転されたときに連結し、前記接合組立体は、前記ネックとボアとが前記係合させた配置になるまでの前記混合チップが前記反対方向に回転されるときには分離可能であり、
さらに、前記ロッキング密封キャップの内部に配置され、第一及び第二バレルからの２種類の粘性材料の漏出を軽減させるために前記ネックに係合し封止するように形成された弾性のポリマー材料から成るロッキング密封キャップ用ライナーを有するロッキング密封キャップを備えた、
混合剤として２つの粘性材料を供給するためのシリンジ。
【請求項８】  中心線に沿って連続的に取り付けられる外側の円筒側面を有する２つの対称のバレルと一体成形された胴体部分を備え、
それぞれのバレルは、近位の端部と遠位の端部を有し、それぞれのバレルの前記遠位の端部は近接されて、混合器を把持するために取り付けられたロッキングリブを有していて、前記ロッキングリブは、それぞれ対応するバレルの外側の円筒側面と一直線な第一の部分と、前記第一の部分にほぼ垂直で、面を有する第二の部分を有していて、前記バレルの前記近位の端部は、把持を改善するための把持部材とプランジャーを受承するための流入口を有し、
さらに、前記中心線に沿って対称的に配置され、前記ロッキングリブの間に等しく間隔を空けられた、前記近接した遠位の端部に流出口ネックを備え、
前記流出口ネックは、二つのバレルと流体により連通し、前記混合器は、前記流出ネックに密着状態で受承される円筒側面により規定される流入口、流出口およびボアを有し、さらに、前記混合器は、一対の近接壁部材と一対のタブを有する、接合部材を有し、前記近接壁部材は、前記混合器と前記流出ネックの間の相対移動を停止するためにそれぞれの前記ロッキングリブの前記第二の部分の面に対して近接するように構成されていて、前記ロッキングタブは、前記ロッキングリブの前記第二の部分の下側で摩擦により係合するように係合されて、前記混合器は、さらに前記ボアと摩擦で係合する、一続きの密接に結合された複数のスクリューを有している、
第一及び第二の内容物を混合し、管理するためのシリンジ。
【請求項９】  ほぼ円筒状のボアを有する並列の第一及び第二のほぼ円筒状のバレルを有する一体に成形されたハウジングを備え、
前記バレルは前記流出口端部で束ねられて、中心線を有し、前記中心線から延びて、前記中心線に沿った前記流出口端部に対称的に配置されたほぼ円筒状のネックを有し、前記ネックは、それぞれ前記第一のバレルと第二のバレルに流体で連通する第一の流出通路と第二の流出通路を有し、
さらに、バレル形状を規定する外側の円筒側面と、前記ハウジングの近位の端部に配置された把持部材と、前記ネックに対して対称的に配置され前記束ねられた流出口端部にしっかりと固定される対向する第一と第二のロッキングリブを有する第一の接合組立体を備え、
前記第一と第二のロッキングリブは、少なくとも前記二つのバレルの外側の円筒側面と一直線になる部分を有し、前記第一の接合組立体は、混合チップまたはロッキング密封キャップを受承するように構成されて、
更に並列の第一及び第二のプランジャーを有する単一構造の二連プランジャーを有し、前記第一と第二のプランジャーは、前記ほぼ円筒状のボアに受承されて、２つの粘性材料を供給するために、前記第一と第二のほぼ円筒状のバレル中を、近位の端部から遠位の端部まで動き、前記混合チップは、前記ネックに密着状態で受承される円筒側面によって規定される流入口、流出口および円筒状のボア、および前記ボアに対して対称に配置された対向するほぼ平面の第一と第二のロッキングタブを有する第２の接合組立体と、を有し、前記二つの接合組立体は、前記ネックが相対的な位置で前記混合チップに挿入されるときに、接合し、前記二つの接合組立体は、前記混合チップが第一の方向に回転して、前記ロッキングチップが前記第一と第二のロッキングリブの下でスライドするときに、連動し、前記二つの接合組立体は、前記混合チップが反対方向に回転されたときに、切り離され、前記混合チップは更に、前記二つの粘性材料が前記第一と第二のバレルから供給されるときに、前記二つの粘性材料を混ぜるために、前記円筒状のボアに配置される、複数の密接に結合する領域を有する、静止混合要素を有する、
混合剤として２つの粘性材料を供給するためのシリンジ。
【請求項１０】  シリンジ中心線に沿って対向する、外側の円筒側面を有する二つのシリンジバレルと一体的に成形された胴体部分を備え、
前記それぞれのバレルは、遠位の端部と近位の端部を有し、前記それぞれのバレルの前記遠位の端部は、近接して、混合器を把持するための取り付けられたロッキングリブを有していて、前記ロッキングリブは、それぞれ対応するバレルの外側の円筒側面と一直線になる第一の部分と、前記第一の部分にほぼ垂直で、面を有する第二の部分を有し、前記バレルの前記近位の端部は、その使用の間、シリンジを把持するための把持部材と、プランジャーを受承するための流入口を有し、
更に、前記中心線に沿って対称に配置されて、前記ロッキングリブの間に等しく間隔が空けられた、前記近接した遠位の端部の流出口ネックを備え、
前記流出口ネックは、前記２つのバレルと流体で連通し、前記混合器は、前記流出口ネックを密着状態で受承される領域を有する円筒側面によって規定される流入口、流出口およびボアを有し、前記、混合器は、更に、一対の近接壁部材と一対のロッキングタブを有する接合組立体を有し、前記近接壁部材は、前記混合器と前記流出口ネックとの間の相対的な移動を止めるために前記それぞれのロッキングリブの前記第二の部分の面に対して近接するように構成され、前記ロッキングタブは、前記ロッキングリブの前記第二の部分の下側で摩擦により係合されて、前記混合器は、更に前記混合器に配置される一続きの密接に結合された複数のスクリューを有している、
第一及び第二の内容物を混合し、管理するためのシリンジ。